(57)【要約】【課題】  洗浄の度に洗浄装置等に接続し直す作業を行わなくてもよく、一度に全ての純水配管・タンクラインを洗浄することができ、また、配管・タンクラインを確実に、清潔に洗浄することができて、使用する洗浄液の量も抑えられる製造ライン洗浄システムを提供することを目的とする。【解決手段】  通常使用時純水が供給される純水配管・タンクライン１に、純水からオゾン水を生成すると共にオゾン水を配管・タンクライン１に供給するオゾン水生成供給手段６が、取り付けられる製造ライン洗浄システムである。配管・タンクライン１は、純水が供給される供給配管３と、貯蔵タンク４と、環状の主循環ライン２と、を備える。オゾン水生成供給手段６は、供給配管３と並列な分岐配管９を介して配設されるオゾン水生成ユニット25と、供給配管３と分岐配管９とに択一的に純水を流す切換手段13と、を備える。【選択図】  図２
2005177687.tif 000002
【特許請求の範囲】
【請求項１】
通常使用時純水が供給される純水配管・タンクライン（１）の上流側（10）に、上記純水からオゾン水を生成すると共に該オゾン水を上記配管・タンクライン（１）に供給するオゾン水生成供給手段（６）が、取り付けられていることを特徴とする製造ライン洗浄システム。
【請求項２】
通常使用時純水が供給される純水配管・タンクライン（１）の上流側（10）に、上記純水からオゾン水を生成すると共に該オゾン水を上記配管・タンクライン（１）に供給するオゾン水生成供給手段（６）が、取り付けられる製造ライン洗浄システムであって、
上記配管・タンクライン（１）は、純水が供給される供給配管（３）と、該供給配管（３）の下流側に接続される貯蔵タンク（４）と、該貯蔵タンク（４）に上流側（２ａ）と下流側（２ｂ）が連結する環状の主循環ライン（２）と、を備え、
上記オゾン水生成供給手段（６）は、上記供給配管（３）と並列な分岐配管（９）を介して配設されるオゾン水生成ユニット（25）と、上記供給配管（３）と上記分岐配管（９）とに択一的に純水を流す切換手段（13）と、を備えたことを特徴とする製造ライン洗浄システム。
【請求項３】
上記切換手段（13）は、上記オゾン水生成ユニット装置（25）の上流側・下流側と上記供給配管（３）上の２箇所の分岐部（３ａ)(３ｂ）とを連通遮断自在とする第１切換弁（Ｖ1 )(Ｖ1 ）と、上記供給配管（３）を上記分岐部（３ａ)(３ｂ）間に於て連通遮断自在とする第２切換弁（Ｖ2 ）と、を備え、
上記配管・タンクライン（１）の通常使用時には、上記第１切換弁（Ｖ1 )(Ｖ1 ）が遮断状態になると共に上記第２切換弁（Ｖ2 ）が連通状態となり、
洗浄時には、上記第１切換弁（Ｖ1 )(Ｖ1 ）が連通状態となると共に上記第２切換弁（Ｖ2 ）が遮断状態になるように、切換自在に構成された請求項２記載の製造ライン洗浄システム。
【請求項４】
上記配管・タンクライン（１）は、該配管・タンクライン（１）を洗浄したオゾン水を排出する排水手段（16）が、取り付けられ、
該排水手段（16）は、上記主循環ライン（２）の下流側（２ｂ）から分岐部（20）に於て分岐した排水配管（23）と、該排水配管（23）と上記下流側（２ｂ）とを連通遮断自在とする第３切換弁（Ｖ3 ）と、上記下流側（２ｂ）の分岐部（20）と上記貯蔵タンク（４）とを連通遮断自在とする第４切換弁（Ｖ4 ）と、を備え、
通常使用時には、上記第３切換弁（Ｖ3 ）が遮断状態になると共に上記第４切換弁（Ｖ4 ）が連通状態となり、
洗浄時には、上記第３切換弁（Ｖ3 ）が連通状態となると共に上記第４切換弁（Ｖ4 ）が遮断状態になるように、切換自在に構成された請求項２又は３記載の製造ライン洗浄システム。
【請求項５】
上記主循環ライン（２）の下流側（２ｂ）に於ける上記オゾン水のオゾン濃度が一定値になった状態で一定時間保持されるまで、上記配管・タンクライン（１）に上記オゾン水が供給される請求項２，３又は４記載の製造ライン洗浄システム。
【発明の詳細な説明】
【技術分野】
【０００１】
本発明は、薬剤製造工場や飲料水メーカーの工場に於て、純水（ミネラルウォータを含む）が流れる製造ライン（純水配管・タンクライン）の洗浄システムに関するものである。
【背景技術】
【０００２】
従来の製造ライン洗浄システムは、図３に示すように、製造ラインに於て、貯蔵タンク４と、主循環ライン２の上流側２ａと下流側２ｂとを分離させて、主循環ライン２の上流側２ａに洗浄水供給配管30を接続し、洗浄液を矢印31のように流して、下流側２ｂから排出させて、洗浄を行い、また、貯蔵タンク４は、図示省略の別途洗浄手段を用いて洗浄するものが知られている。上記洗浄液の一例として、硝酸やフッ化水素酸等の水溶液から成るものがある（例えば、特許文献１参照）。
【特許文献１】特開平７−６２５７３号公報
【発明の開示】
【発明が解決しようとする課題】
【０００３】
配管・タンクラインは、常に清潔に保たれる必要があるため、頻繁に洗浄を行わなければならない。しかし、配管・タンクラインを上述した従来の洗浄システムに切り換えるためには、その度に、主循環ライン２を貯蔵タンク４から分離し、洗浄液や、洗浄液を流入させるポンプ・配管等の装置・設備を準備して、それらを主循環ライン２に接続しなければならない。
さらに、貯蔵タンク４は、別途洗浄手段にて洗浄しなければならず、多くの設備が必要で、手間も多く掛かる。そして、洗浄が終了すれば、再び、配管・タンクラインを元通りに戻さなければならない。
このように、配管・タンクラインを洗浄しようとする度に、非常に多くの手間及びコストが掛かってしまい、頻繁に行うには不都合である。
【０００４】
そこで、本発明は、洗浄の度に洗浄装置等に接続し直す作業を行わなくてもよく、一度に全ての純水配管・タンクラインを洗浄することができ、また、配管・タンクラインを確実に、清潔に洗浄することができて、使用する洗浄液の量も抑えられる製造ライン洗浄システムを提供することを目的とする。
【課題を解決するための手段】
【０００５】
上記の目的を達成するために、本発明に係る製造ライン洗浄システムは、通常使用時純水が供給される純水配管・タンクラインの上流側に、上記純水からオゾン水を生成すると共に該オゾン水を上記配管・タンクラインに供給するオゾン水生成供給手段が、取り付けられている。
なお、本発明に於て、「純水」とは、一般の純水、及び、飲料水（ミネラルウォータ）を含むものと定義する。
【０００６】
また、通常使用時純水が供給される純水配管・タンクラインの上流側に、上記純水からオゾン水を生成すると共に該オゾン水を上記配管・タンクラインに供給するオゾン水生成供給手段が、取り付けられる製造ライン洗浄システムであって；上記配管・タンクラインは、純水が供給される供給配管と、該供給配管の下流側に接続される貯蔵タンクと、該貯蔵タンクに上流側と下流側が連結する環状の主循環ラインと、を備え；上記オゾン水生成供給手段は、上記供給配管と並列な分岐配管を介して配設されるオゾン水生成ユニットと、上記供給配管と上記分岐配管とに択一的に純水を流す切換手段と、を備えた。
【０００７】
また、上記切換手段は、上記オゾン水生成ユニット装置の上流側・下流側と上記供給配管上の２箇所の分岐部とを連通遮断自在とする第１切換弁と、上記供給配管を上記分岐部間に於て連通遮断自在とする第２切換弁と、を備え；上記配管・タンクラインの通常使用時には、上記第１切換弁が遮断状態になると共に上記第２切換弁が連通状態となり；洗浄時には、上記第１切換弁が連通状態となると共に上記第２切換弁が遮断状態になるように、切換自在に構成された。
【０００８】
また、上記配管・タンクラインは、該配管・タンクラインを洗浄したオゾン水を排出する排水手段が、取り付けられ；該排水手段は、上記主循環ラインの下流側から分岐部に於て分岐した排水配管と、該排水配管と上記下流側とを連通遮断自在とする第３切換弁と、上記下流側の分岐部と上記貯蔵タンクとを連通遮断自在とする第４切換弁と、を備え；通常使用時には、上記第３切換弁が遮断状態になると共に上記第４切換弁が連通状態となり；洗浄時には、上記第３切換弁が連通状態となると共に上記第４切換弁が遮断状態になるように、切換自在に構成された。
また、上記主循環ラインの下流側に於ける上記オゾン水のオゾン濃度が一定値になった状態で一定時間保持されるまで、上記配管・タンクラインに上記オゾン水が供給される。
【発明の効果】
【０００９】
本発明は、次のような著大な効果を奏する。
通常時に使用する純水をそのまま利用してオゾン水を生成することができ、全ての純水配管・タンクラインを一度に洗浄することができる。
また、オゾン水の殺菌・脱臭力は非常に大きいので、上記配管・タンクラインを確実に清潔にすることができ、洗浄時間も短縮できる。そして、洗浄水の量も少なく済み、コストも抑えられる。
また、オゾンは数時間で酸素に戻る物質であり、配管・タンクライン内に洗浄薬剤としての残留性が無く、洗浄後のオゾン水を一般排水路等に排出しても（塩素系洗浄水のような）２次公害の虞れがないため、環境対策としても好都合である。
【発明を実施するための最良の形態】
【００１０】
以下、実施の形態を示す図面に基づき、本発明を詳説する。
図１，図２に示すように、本発明に係る製造ライン洗浄システムは、通常使用時純水が供給される既存の（又は新設の）配管・タンクライン１の上流側10に、純水からオゾン水を生成すると共にオゾン水を配管・タンクライン１に供給するオゾン水生成供給手段６が、取り付けられているものである。
【００１１】
具体的には、上記配管・タンクライン１は、（図示省略の）純水製造（供給）設備から受けた純水を供給する供給配管３と、供給配管３の下流側に接続される貯蔵タンク４と、貯蔵タンク４に上流側２ａと下流側２ｂが連結する環状の主循環ライン２と、を備えるものである。
この主循環ライン２は、上流側12ａと下流側12ｂとが貯蔵タンク４に接続される環状の主循環配管12と、主循環配管12に設けられ純水を上流側12ａから下流側12ｂへ送るポンプＰと、主循環配管12に設けられ純水の殺菌を行うＵＶ流水装置17と、主循環配管12の複数箇所に分岐状に付設されＵＶ流水装置17で殺菌された純水を取り出し可能とする分岐配管18…及び止水弁19…と、を備える。主循環配管12の上流側12ａは貯蔵タンク４の底面に接続され、下流側12ｂは貯蔵タンク４の上面や側面上部に接続される。
【００１２】
そして、上記オゾン水生成供給手段６は、供給配管３と並列な分岐配管９を介して配設されるオゾン水生成ユニット25と、供給配管３と分岐配管９とに択一的に純水を流す切換手段13と、を備える。オゾン水生成ユニット25は、オゾンガスを発生するオゾン発生装置７と、純水とオゾンガスからオゾン水を生成するミキシング装置８と、から成る。
ここで、３ａ，３ｂは、分岐配管９の両端が、供給配管３から分岐する２箇所の分岐部である。
切換手段13は、オゾン水生成ユニット装置25の上流側・下流側と上記２箇所の分岐部３ａ，３ｂとを連通遮断自在とする２つの第１切換弁Ｖ1 ，Ｖ1 と、供給配管３を２箇所の分岐部３ａ，３ｂ間に於て連通遮断自在とする第２切換弁Ｖ2 と、から成る。
【００１３】
また、配管・タンクライン１は、配管・タンクライン１を洗浄した後のオゾン水を排出するための排水手段16が、取り付けられる。
具体的には、排水手段16は、主循環配管12の下流側12ｂの分岐部20に於て主循環配管12から分岐する排水配管23と、排水配管23と上記下流側12ｂとを連通遮断自在とする第３切換弁Ｖ3 と、上記分岐部20と貯蔵タンク４とを連通遮断自在とする第４切換弁Ｖ4 と、を備え、排水配管23は、図示省略の一般排水路等に接続される。
【００１４】
また、主循環配管12は、配管・タンクライン１を流れ洗浄したオゾン水の濃度を測定するオゾン濃度測定装置（洗浄監視装置）５が、下流側12ｂの近傍に分岐して取り付けられる。
第１・第２切換弁Ｖ1 ，Ｖ2 及び第３・第４切換弁Ｖ3 ，Ｖ4 は、ソレノイドバルブ等から成り、夫々の切換弁の駆動部とオゾン濃度測定装置５とが、図示省略の制御配線で電気的に接続される。
【００１５】
次に、上記配管・タンクライン１の使用時と洗浄時について説明する。
まず、図１に於て、純水配管・タンクライン１の通常使用時は、両第１切換弁Ｖ1 ，Ｖ1 と第３切換弁Ｖ3 は遮断（閉）状態で、かつ、第２切換弁Ｖ2 と第４切換弁Ｖ4 は連通（開）状態である。
図示省略の純水製造設備から供給される純水は、矢印Ｆのように、供給配管３を流れて貯蔵タンク４に流入する。貯蔵タンク４で一旦貯蔵された純水は、主循環ライン２へ流れてＵＶ流水装置17で紫外線殺菌され、ポンプＰにより主循環配管12内を流れる。そして、各使用場所で止水弁19…を開いて、各分岐配管18…から矢印ｆのように純水を出して使用する。残りの純水は、第４切換弁Ｖ4 を介して、貯蔵タンク４へ戻る。
【００１６】
次に、図２，図４に於て、配管・タンクライン１の洗浄について説明すると、洗浄開始時間ｔ0 に、両第１切換弁Ｖ1 ，Ｖ1 と第３切換弁Ｖ3 を連通（開）状態に切り換え、かつ、第２切換弁Ｖ2 と第４切換弁Ｖ4 を遮断（閉）状態に切り換える。
そして、通常使用時と同様に、純水が図示省略の純水製造設備から供給され、矢印Ｆのように供給配管３の分岐部３ａを経由して分岐配管９へ流れる。そして、オゾン水生成ユニット25に於て、オゾン発生装置７で生成されたオゾンガスと、純水とから、ミキシング装置８で約５ppm のオゾン水が生成され、分岐部３ｂを経由して、貯蔵タンク４に流入する。
【００１７】
そして、オゾン水は、貯蔵タンク４から主循環ライン２の主循環配管12へ流れて、ポンプＰにより上流側12ａから下流側12ｂに流れて洗浄し、排水配管23から排出する。
このようなオゾン水が流れる過程に於て、貯蔵タンク４内部，主循環配管12内，ポンプＰ・ＵＶ流水装置17等の機械類の内部等、全ての配管・タンクライン１が、オゾン水の殺菌・脱臭力により、脱臭漂白・除菌・ヌメリ除去等の洗浄をされる。
【００１８】
図４は、上記洗浄過程に於て、オゾン濃度測定装置５によって測定されたオゾン水のオゾン濃度と、時間の関係を示すグラフ図である。この図４に示すように、洗浄開始直後は、オゾン水は、配管・タンクライン１内の微生物，汚れ，臭気のスケール等を活発に分解し、オゾンが消耗するため、オゾン濃度は低い。
時間の経過と共に洗浄が進み、分解が不活発になっていくと、オゾン濃度が上昇していき、そして一定値Ｘのまま変化しなくなる。ｔ1 は、オゾン濃度が一定値Ｘになるときの洗浄時間である。また、このオゾン濃度の一定値Ｘは、 0.5乃至 1.0ppm 程度である。
【００１９】
そして、オゾン濃度が一定値Ｘとなった時間ｔ1 から、一定時間、オゾン水をさらに流す。ｔ2 は、オゾン濃度が一定値Ｘのまま時間ｔ1 から一定時間経過して、洗浄が終了するときの時間である。
ここで、主循環ライン２内及び貯蔵タンク４内のオゾン水のオゾン濃度が一定である時間（時間ｔ1 とｔ2 の間隔）を、20分間乃至30分間とする。20分間未満であると、配管・タンクライン１内に汚れが残ってしまう虞れがあり、30分間超過であると、コスト・時間の無駄である。
【００２０】
そして、洗浄が終了したら、両第１切換弁Ｖ1 ，Ｖ1 が遮断状態に切り換わり、貯蔵タンク４内・主循環ライン２内の洗浄後のオゾン水が、全て排水配管23から排出される。
この排出が終了したら、第３切換弁Ｖ3 が遮断状態に切り換わると共に、第２切換弁Ｖ2 と第４切換弁Ｖ4 が連通状態に切り換わり、通常使用可能な状態になる。
洗浄開始時間ｔ0 から洗浄終了の時間ｔ2 までの時間間隔は、１時間乃至２時間となるのが望ましい。
オゾンは、数時間で酸素に戻る物質であり、（塩素系洗浄水のような）２次公害の虞れがない上に、配管・タンクライン１内を洗浄し直す必要がない。
【００２１】
以上のように、本発明に係る製造ライン洗浄システムは、通常使用時純水が供給される純水配管・タンクライン１の上流側10に、純水からオゾン水を生成すると共にオゾン水を配管・タンクライン１に供給するオゾン水生成供給手段６が、取り付けられているので、通常時に使用する純水をそのまま利用してオゾン水を生成することができ、全ての配管・タンクライン１を一度に洗浄することができる。また、オゾン水の殺菌・脱臭力は非常に大きいので、純水配管・タンクライン１を確実に清潔にすることができ、洗浄時間も短縮できる。そして、洗浄水の量も少なく済むので、コストも抑えることができる。
さらに、オゾンは数時間で酸素に戻る物質であり、配管・タンクライン１内に洗浄薬剤としての残留性が無く、洗浄後のオゾン水を一般排水路等に排出しても（塩素系洗浄水のような）２次公害の虞れがないため、環境対策としても好都合である。
【００２２】
また、通常使用時純水が供給される純水配管・タンクライン１の上流側10に、純水からオゾン水を生成すると共にオゾン水を配管・タンクライン１に供給するオゾン水生成供給手段６が、取り付けられる製造ライン洗浄システムであって、配管・タンクライン１は、純水が供給される供給配管３と、供給配管３の下流側に接続される貯蔵タンク４と、貯蔵タンク４に上流側２ａと下流側２ｂが連結する環状の主循環ライン２と、を備え、オゾン水生成供給手段６は、供給配管３と並列な分岐配管９を介して配設されるオゾン水生成ユニット25と、供給配管３と分岐配管９とに択一的に純水を流す切換手段13と、を備えるので、通常時に使用する純水をそのまま利用してオゾン水を生成することができ、全ての純水配管・タンクライン１を一度に洗浄することができる。また、オゾン水の殺菌・脱臭力は非常に大きいので、配管・タンクライン１を確実に清潔にすることができ、洗浄時間も短縮できる。そして、洗浄水の量が少なく済むので、コストも抑えることができる。
また、切換手段13が備えられているので、切換手段13を切り換えるだけで、容易に、純水からオゾン水を生成し、配管・タンクラインに供給することができる。
さらに、洗浄作業をしようとする度に、主循環ライン２を貯蔵タンク４から分離し、洗浄液や、洗浄液を流入させるポンプ・配管等を準備する、といった面倒な作業をする必要が無い。よって、頻繁に（例えば、毎日）洗浄を行うことも可能である。
さらに、オゾンは数時間で酸素に戻る物質であり、配管・タンクライン１内に洗浄薬剤としての残留性が無く、洗浄後のオゾン水を一般排水路等に排出しても（塩素系洗浄水のような）２次公害の虞れがないため、環境対策としても好都合である。
【００２３】
そして、切換手段13は、オゾン水生成ユニット装置25の上流側・下流側と供給配管３上の２箇所の分岐部３ａ，３ｂとを連通遮断自在とする第１切換弁Ｖ1 ，Ｖ1 と、供給配管３を分岐部３ａ，３ｂ間に於て連通遮断自在とする第２切換弁Ｖ2 と、を備え、配管・タンクライン１の通常使用時には、第１切換弁Ｖ1 ，Ｖ1 が遮断状態になると共に第２切換弁Ｖ2 が連通状態となり、洗浄時には、第１切換弁Ｖ1 ，Ｖ1 が連通状態となると共に第２切換弁Ｖ2 が遮断状態になるように、切換自在に構成されているので、配管・タンクライン１を、洗浄する状態と、通常使用する状態とに、容易に切り換えられる。さらに、保守点検も容易である。
【００２４】
また、配管・タンクライン１は、配管・タンクライン１を洗浄したオゾン水を排出する排水手段16が、取り付けられ、排水手段16は、主循環ライン２の下流側２ｂから分岐部20に於て分岐した排水配管23と、排水配管23と下流側２ｂとを連通遮断自在とする第３切換弁Ｖ3 と、下流側２ｂの分岐部20と貯蔵タンク４とを連通遮断自在とする第４切換弁Ｖ4 と、を備え、通常使用時には、第３切換弁Ｖ3 が遮断状態になると共に第４切換弁Ｖ4 が連通状態となり、洗浄時には、第３切換弁Ｖ3 が連通状態となると共に第４切換弁Ｖ4 が遮断状態になるように、切換自在に構成されているので、配管・タンクライン１を、洗浄する状態と、通常使用する状態とに、容易に切り換えられる。さらに、保守点検も容易である。
【００２５】
また、主循環ライン２の下流側２ｂに於けるオゾン水のオゾン濃度が一定値になった状態で一定時間保持されるまで、配管・タンクライン１にオゾン水が供給されるので、配管・タンクライン１内を、確実に、殺菌・脱臭し、ヌメリ等も除去できる。
【００２６】
また、図示省略するが、切換手段13は、上記のものに限定されず設計変更自由である。  即ち、図１，図２に於て、第１・第２切換弁Ｖ1 ，Ｖ2 の替わりに、上流側の分岐部３ａに三方弁が取り付けられ、純水の流れ方向が、供給配管３の下流側と、分岐配管９とへ、択一的に切り換えられる構成でもよい。
【図面の簡単な説明】
【００２７】
【図１】本発明に係る製造ライン洗浄システムの実施の一形態を示す説明図である。
【図２】説明図である。
【図３】従来の洗浄システムを示す説明図である。
【図４】時間とオゾン濃度の関係を示すグラフ図である。
【符号の説明】
【００２８】
１  配管・タンクライン
２  主循環ライン
２ａ  上流側
２ｂ  下流側
３  供給配管
３ａ，３ｂ  分岐部
４  貯蔵タンク
６  オゾン水生成供給手段
９  分岐配管
10  上流側
13  切換手段
16  排水手段
20  分岐部
23  排水配管
25  オゾン水生成ユニット
Ｖ1   第１切換弁
Ｖ2   第２切換弁
Ｖ3   第３切換弁
Ｖ4   第４切換弁
【図１】
2005177687.tif 000003
【図２】
2005177687.tif 000004
【図３】
2005177687.tif 000005
【図４】
2005177687.tif 000006